(57)【要約】【課題】  カップ入り商品を収納したコンテナーを複数段に積み重ねた際に、下段商品に上段の積載重量が加わって損傷あるいは下段商品の蓋シールが破れることを防止し、またカップ入り商品の上部を遮蔽して、商品上部が太陽光等の光線に暴露されることを防止し、さらに輸送時における荷崩れの防止及びチルド輸送時の冷却効果を阻害することのない紙製蓋を提供する。【解決手段】  通い箱の上方開口部に位置し、通い箱に収納されて列をなす各カップ入り商品の上面を覆う略矩形状をした上面板1と、その上面板の両側縁から通い箱の内側面に並行するように屈曲して対向する一対の側板３を具備している。その側板の高さ寸法を前記カップ入り商品の高さと同じか、または高く設定し、かつ該側板の下方に通風用切欠き５を形成した一対の脚部４を設け、また、前記上面板に隣接したカップ入り商品間に挿入する爪部８を形成した紙製蓋。【選択図】  図１
2005231650.tif 000002
【特許請求の範囲】
【請求項１】
通い箱に収納されたカップ入り商品を輸送するときに使用する通い箱用の蓋であり、該蓋は通い箱の上方開口部に位置し、通い箱に収納されて列をなす各カップ入り商品の上面を覆う略矩形状をした上面板と、その上面板の両側縁から通い箱の内側面に並行するように屈曲して対向する一対の側板を具備すると共に、前記側板の高さ寸法を前記商品の高さと同じか、又は高く設定し、かつ該側板に通風用切欠きを形成した一対の脚部を設け、前記上面板には商品間に挿入する爪部を形成したことを特徴とする通い箱用蓋。
【請求項２】
前記上面板の両側縁に、側板上方に突出する積重ね用の突起を設けたことを特徴とする請求項１に記載の通い箱用蓋。
【請求項３】
前記上面板に、商品識別窓を形成したことを特徴とする請求項１〜２のいずれか１項に記載の通い箱用蓋。
【請求項４】
前記通い箱用蓋が段ボール等の紙シート材から形成されていることを特徴とする請求項１〜３のいずれか１項に記載の通い箱用蓋。
【発明の詳細な説明】
【技術分野】
【０００１】
本発明は、通い箱に収納された乳製品入りの容器、プリン、ゼリーなどのデザート類、あるいはチルド食品の入った容器、その他酒飲料類のカップ容器等の上部を覆う蓋に関するものである。
【背景技術】
【０００２】
カップ入りのヨーグルトやプリン、ゼリーなどの商品は、通い箱に多数個を収納して工場、倉庫等から出荷される。流通に際しては、その通い箱を複数段に積み重ねて商品を輸送し保管することが多かった。また、内容物の変質を避けるため箱の内部に冷気を導入するために通気孔を箱側面に多数開設して、保冷倉庫に入れて保管し、また輸送する場合にも保冷車等で輸送されている。
そしてこのような商品の通い箱には、従来、図３の下段に示すようなプラスチックコンテナーが採用されている。
【発明の開示】
【発明が解決しようとする課題】
【０００３】
近年、市販されているヨーグルトやプリン、ゼリーなどのカップ入り商品は、例えば小さいものでは容量略１００ｍｌ程度、大きいものでは容量略３００ｍｌのものが製造されている。こうした多様なサイズのカップ入り商品を保管、輸送する場合において、そのカップ入り商品のサイズ毎に、それを収納するプラスチックコンテナーを用意しておくことは経済的にも管理上も無駄が多いものである。そこで、共通のプラスチックコンテナーで大小異なるサイズのカップ入り商品を保管、輸送することが行われることがある。
【０００４】
しかし、既製のプラスチックコンテナー内にその内法高さより背丈の高いカップ入り商品を収納したとき、次のような不都合がある。例えば、コンテナーの上面から商品上部が突き出てしまう。そのためにコンテナーを複数段に積み重ねることができなくなる。また、積み重ねたとき下段の商品に上段の積載重量が直接かかってしまい、下段商品の破損、あるいは下段商品のシールが破れるなど商品価値の低下のおそれがある。また、商品上部が太陽光、照明光等に暴露されてしまい、その光線により商品品質の低下をきたすおそれがある。
さらにまた、輸送時の振動などで上下に積重ねたコンテナーの荷姿は不安定になり、荷崩れを生じやすいという問題を生ずる。
そこで、プラスチックコンテナーの通い箱は、内容物の高さより、高い内法高さを有するものを使用せざるを得なかった。
【０００５】
本発明は、上記した従来の問題を解決しようとするものである。すなわち、既製のプラスチックコンテナー内にその内法高さよりも高いカップ入り商品を収納した時に、コンテナーを複数段に積み重ねることを可能とし、また積み重ねた際に、下段商品に上段の積載重量が加わって損傷あるいは下段商品の蓋シールが破れることを防止し、またカップ入り商品の上部を遮蔽して、商品上部が光線に暴露されることを防止し、さらに輸送時における荷崩れの防止及びチルド輸送時の冷却効果を阻害することのない通い箱用蓋を提供するものである。
【課題を解決するための手段】
【０００６】
本発明は、前記課題を解決するため通い箱に収納されたカップ入り商品を輸送するときに使用する通い箱用蓋である。
本発明による蓋は、通い箱の上方開口部に位置し、通い箱に収納されて列をなす各カップ入り商品の上面を覆う略矩形状をした上面板と、その上面板の両側縁から通い箱の内側面に並行するように屈曲して対向する一対の側板を具備している。その側板の高さ寸法を前記カップ入り商品の高さと同じか、または高く設定し、かつ該側板に通風用切欠きを形成した一対の脚部を設け、また、前記上面板には隣接したカップ入り商品間に挿入する爪部を形成して構成されている。
【０００７】
また、本発明による蓋は、前記上面板の両側縁に、側板上方に突出する積重ね用の突起を設ける。
【０００８】
さらに本発明による蓋は、前記上面板に、商品識別窓を設けたことを特徴とする。
【０００９】
本発明の蓋は、カップ入り商品を通い箱に入れて出荷輸送する際に、通い箱に収納された列をなす各カップ入り商品の上に上面板を配設する。また、上面板の両側縁から屈曲して対向する一対の側板を通い箱の内側面に並行するように挿入し、通い箱の上方開口部に上面板を装着する。
このとき、上面板とカップの蓋シール部とは接触させてもよく、また上面板とカップの蓋シール部の間に若干の空間（空隙）を形成するようにして、側板下部の脚部を通い箱の内底に突き当てるように構成する。なお上面板とカップの蓋シール部を接触させるか、空間を設けるか、また前記空間の大きさは、脚部の長さを適宜に設定することで調節する。
【００１０】
従って本発明の蓋は、通い箱の上方開口部に装着されたとき、収納された列をなす各カップ入り商品の上面と左右側面を遮蔽することで入射光線等から商品を保護する。本発明の蓋は、上面板から下方に突出する爪部を、列をなす商品間に挿入するので、該商品と本発明の蓋とが所定位置関係を保持して固定される。上記爪部は、通い箱内で、カップ等内容物を固定する機能を有する。
【００１１】
通い箱を複数段に積重ねて保冷庫や保冷車で保管・輸送するときに、本発明の蓋は、上面の商品識別窓により商品の種類や銘柄、賞味期限などを確認することができる。またその識別窓と、側面の切欠きを介して冷風が通るので、チルド輸送時の冷却効果を阻害することがない。さらに上面板の両側縁に、側板上方に突出する積重ね用の突起を設けたので、上下に積重ねた通い箱相互を該突起により係合させて両者の移動を阻止できる。
【発明の効果】
【００１２】
上述したように、本発明の通い箱用蓋は、通い箱の上部開口部に差し込むだけなので簡単に装着できる。また、取り外しも簡単である。そのうえ商品が太陽光等の光線に暴露されるのを防ぐだけでなく、通い箱の内法より高い寸法の容器の商品を収容した通い箱を積み重ねる際に上段の商品の重量が直接下段の商品にかかるのを防ぐことができ、さらに通い箱相互の移動を防止して荷崩れを防ぐことができる。また、保冷輸送の際、冷却効果を阻害せずに保管輸送することができるという利点がある。
【００１３】
本発明の蓋は紙シート材で作成するので製造も容易、廉価であるだけでなく、既製のプラスチックコンテナー（通い箱）を多様なサイズの商品に簡単に対応させることができると共に、廃棄、リサイクル性が良好で使い捨て可能である。
【発明を実施するための最良の形態】
【００１４】
以下、本発明の実施の形態を図１〜図６に基づいて説明する。
図１は本発明の通い箱用蓋を構成するブランクの平面図であり、図２は組み立て途中を裏から見た斜視図である。
図１の蓋は段ボールシートにより形成されているが、段ボール以外の板紙、古紙などを主体とする紙シートを素材として使用することも可能である。
【００１５】
本発明の通い箱用蓋は中央に通い箱の上方開口部に対応した大きさの矩形の上面板１を区画し、上面板１の左右両側縁に折り線２を介して一対の側板３、３が連設されている。また各側板３の下部に冷気が通過しやすいように通気用の切欠き５を設けて、一対の脚部４、４を形成している。
上面板１から側板３にまたがるように略Ｕ字状又は逆Ｕ字状の切線とその切線の両端を結ぶ折り線９により上面板から下方に折り曲げ可能に爪部８を形成する。
また、上面板１の左右の折り線２の沿って側板３から上面板側に突出する積重ね用の突起７が形成されている。
一方、上面板１の中央には通い箱内部の商品の種類や銘柄、賞味期限などを視認できる商品識別窓６が開設され、さらに上面板１の前後端縁に、半円形状の手掛け穴１０を開設している。
【００１６】
次に、本発明による蓋の使用法を説明する。
図２のように、使用時にまず、両側板３、３を上面板１に対して直角に引き起こす。同じく爪部８も上方に引き起こす。側板３が上方に引き起こされるとき、積重ね用の突起７が上面板１の下方に突出する。
カップ入り商品を通い箱に入れて出荷輸送する際に、この蓋の上面板を通い箱に収納された列をなす各カップ入り商品の上に配設する。図中、符号１１はプラスチック製通い箱を示す。
このとき、上面板１の両側縁から屈曲して対向する一対の側板３，３を通い箱１１の内側面に並行するように挿入し、通い箱の上方開口部に上面板１を装着する。また上面板１と商品の上部蓋シール部を接触させるように側板下部の脚部４を通い箱１１の内底に突き当てるようにする。
なお蓋の脚部４の長さを適宜に設定することで、上部シール部と上面板1の間に空間を設けることも可能である。
【００１７】
前述したように通い箱は、プリンやヨーグルトなどカップ入りのデザート類あるいはチルド食品の入った容器、その他酒飲料類のカップ容器Ｇを並べて輸送するときに使用する。この通い箱は、商品を輸送した後回収され、再利用される。
なお通い箱１１は側面および底面に多数の通気穴を設けて冷気が通過しやすくしてあり、保冷倉庫で保管するときや保冷車で輸送する際に、箱内に収容した商品が冷蔵状態に保てるようにしている。
【００１８】
図３はプラスチック製通い箱に蓋を装着する前の段階を示す分解斜視図である。
本図では収納された列をなす各カップ入り商品は省略している。
図４に示すように、通い箱１１の上方開口部に装着されたとき、収納された列をなす各カップ入り商品Ｇの上面と左右側面を遮蔽することで光線等から商品を保護して劣化を防止する。また図５に示すように、本発明の蓋は、上面板から下方に突出する爪部８を、列をなす商品間に挿入するので、該商品と本発明の蓋とが所定位置関係を保持して固定される。
【００１９】
本発明の蓋は、上面の商品識別窓６より、商品の種類や銘柄、賞味期限などを確認することができる。
また通い箱を複数段に積み重ねて保冷庫や保冷車で保管・輸送するときに、その識別窓６と側面の切欠き５を介して冷風が通るので、チルド輸送時の冷却効果を阻害することがない。さらに上面板の両側縁に、側板上方に突出する積重ね用の突起を設けたので、該突起により上下に積み重ねた通い箱相互を係合させて両者の移動を阻止できる（図６参照）。
【００２０】
なお輸送後、商品を取り出すときは、手掛け穴１０に指を挿入し、蓋の上面板１を引き上げると蓋は簡単に取り外すことができる。
【図面の簡単な説明】
【００２１】
【図１】本発明たる通い箱用蓋の組み立て前のブランクを示す平面図である。
【図２】同上ブランクの組み立て途中を裏から見た斜視図である。
【図３】プラスチックトレー（通い箱）に、蓋を装着する前の段階を示す分解斜視図である。
【図４】通い箱に同上蓋を装着した状態の斜視図である。
【図５】同上平面図である。
【図６】通い箱を積み重ね状態の側面図である。
【符号の説明】
【００２２】
１    上面板
２    折り線
３    側板
４    脚部
５    切欠き
６    商品識別窓
７    積み重ね用突起
８    爪部
９    手掛け穴
【図１】
2005231650.tif 000003
【図２】
2005231650.tif 000004
【図３】
2005231650.tif 000005
【図４】
2005231650.tif 000006
【図５】
2005231650.tif 000007
【図６】
2005231650.tif 000008